(57)【要約】      （修正有）【課題】本発明は、自動吐水の実行の途中で止水がされた場合であっても、水回り設備に対する効率のよい洗浄と殺菌をすることができる殺菌水生成システムを提供する。【解決手段】開閉弁１４と、開閉弁１４の下流側に設けられた殺菌水生成手段１５と、殺菌水生成手段１５の下流側に設けられた吐水具４と、開閉弁１４と、殺菌水生成手段１５とを制御する制御手段１７と、操作手段３とを備え、洗浄水と殺菌効果を有する流体とを予め定められた手順に従い切り替えて吐水を行う自動吐水の実行中に、操作手段３に吐水の停止指令が入力されて自動吐水が停止させた場合において、所定の時間が経過する前に、自動吐水の指令が操作手段３に再度入力された場合には、自動吐水の停止時の状態から自動吐水を続行させ、操作手段３に再度入力がされなかった場合には、自動吐水の実行を終了させる。【選択図】図２
2008289981.tif 000002
【特許請求の範囲】
【請求項１】
流体の流れを制御する開閉弁と、
前記開閉弁の下流側に設けられた殺菌効果を有する流体を生成する殺菌水生成手段と、
前記殺菌水生成手段の下流側に設けられた吐水具と、
前記開閉弁と、前記殺菌水生成手段とを制御する制御手段と、
前記制御手段に制御条件を入力する操作手段と、
を備え、
前記制御手段により前記開閉弁と、前記殺菌水生成手段とを制御して、前記吐水具から前記殺菌効果を有する流体と、洗浄水とを切り替えて吐水させることができる殺菌水生成システムであって、
前記制御手段は、前記洗浄水と前記殺菌効果を有する流体とを予め定められた手順に従い切り替えて吐水を行う自動吐水の実行中に、前記操作手段に吐水の停止指令が入力されて前記自動吐水が停止させた場合において、
所定の時間が経過する前に、前記自動吐水の指令が前記操作手段に再度入力された場合には、前記自動吐水の停止時の状態から前記自動吐水を続行させ、
前記操作手段に再度入力がされなかった場合には、前記自動吐水の実行を終了させること、を特徴とする殺菌水生成システム。
【請求項２】
前記自動吐水における前記殺菌効果を有する流体の吐水量は、前記洗浄水の吐水量より少ないこと、を特徴とする請求項１記載の殺菌水生成システム。
【請求項３】
前記自動吐水における前記殺菌効果を有する流体の吐水量は、浴室に設けられた排水口の封水量以上であること、を特徴とする請求項１または２に記載の殺菌水生成システム。
【請求項４】
前記操作手段を操作することにより行われた吐水の状態量に基づいて、前記自動吐水の制御条件が変更されること、を特徴とする請求項１〜３のいずれか１つに記載の殺菌水生成システム。
【請求項５】
前記自動吐水が終了した後には、所定の時間の間、前記操作手段を操作することにより前記洗浄水を吐水させることが禁止されること、を特徴とする請求項１〜４のいずれか１つに記載の殺菌水生成システム。
【請求項６】
前記自動吐水の実行中であっても、前記操作手段を操作することにより前記殺菌効果を有する流体を吐水させることが許容されること、を特徴とする請求項１〜５のいずれか１つに記載の殺菌水生成システム。
【請求項７】
前記自動吐水の実行中には、前記操作手段を操作することにより前記洗浄水を吐水させることが禁止されること、を特徴とする請求項１〜６のいずれか１つに記載の殺菌水生成システム。
【請求項８】
前記自動吐水の制御条件は、設定変更可能とされていること、を特徴とする請求項１〜７のいずれか１つに記載の殺菌水生成システム。
【請求項９】
運転状況を表示する表示手段を備え、
前記自動吐水の実行状況が前記表示手段に表示されること、を特徴とする請求項１〜８のいずれか１つに記載の殺菌水生成システム。
【請求項１０】
前記洗浄水の吐水の開始から前記吐水が自動的に停止されるまでの間に、前記操作手段を操作することにより前記吐水が停止され、前記自動吐水の指令が前記操作手段に再度入力された場合において、前記再度入力されたときまでの時間が所定時間を経過していなければ、前記自動吐水の全実行時間が短縮されて自動吐水が実行されること、を特徴とする請求項１〜９のいずれか１つに記載の殺菌水生成システム。
【発明の詳細な説明】
【技術分野】
【０００１】
本発明は、浴室、洗面所、洗髪器などの水回り設備に用いられる殺菌水生成システムに関する。
【背景技術】
【０００２】
浴室などの水回り設備の汚れには、人体の洗浄に使用された石鹸やシャンプーなどのかす、人体から発生した垢（タンパク質系、炭水化物系、油脂系、塩類等）などがあるが、このような汚れを除去するためには大変な労力がかかる。  
そこで、これらの汚れを除去しつつ、浴槽や洗い場におけるヌメリの発生を抑制するための防汚装置が提案されている（特許文献１を参照）。    
この特許文献１に開示されている技術では、水道水などを吐水させるための吐水具とは別に殺菌効果を有する流体を吐水させるための専用の吐水具を設けるようにしている。そのため、殺菌効果を有する流体の吐水に先立って「前洗浄」を行うような場合には、水道水などを吐水させるための吐水具と殺菌効果を有する流体を吐水させるための吐水具とを交互に使用することになり、作業の煩雑化を招くおそれがあった。
【０００３】
一方、複数の水質の洗浄水を自動的に順番に切り替えて吐水をさせることができる機能水生成装置が提案されている（特許文献２を参照）。    
この特許文献２に開示されている技術では、複数の水質の洗浄水が自動的に切り替えられて吐水が行われるため、作業の煩雑化を解消することができる。    
しかしながら、特許文献２に開示されている技術では、吐水の途中で止水がされた場合の措置が考慮されておらず、特許文献２に開示をされた技術を特許文献１に開示をされた防汚装置に用いるものとすれば、水回り設備に対する効率のよい洗浄と殺菌ができないおそれがあった。
【特許文献１】特開平９−２２０２７３号公報
【特許文献２】特開２００３−１７０１６７号公報
【発明の開示】
【発明が解決しようとする課題】
【０００４】
本発明は、自動吐水の実行の途中で止水がされた場合であっても、水回り設備に対する効率のよい洗浄と殺菌をすることができる殺菌水生成システムを提供する。
【課題を解決するための手段】
【０００５】
本発明の一態様によれば、流体の流れを制御する開閉弁と、前記開閉弁の下流側に設けられた殺菌効果を有する流体を生成する殺菌水生成手段と、前記殺菌水生成手段の下流側に設けられた吐水具と、前記開閉弁と、前記殺菌水生成手段とを制御する制御手段と、前記制御手段に制御条件を入力する操作手段と、を備え、前記制御手段により前記開閉弁と、前記殺菌水生成手段とを制御して、前記吐水具から前記殺菌効果を有する流体と、洗浄水とを切り替えて吐水させることができる殺菌水生成システムであって、前記制御手段は、前記洗浄水と前記殺菌効果を有する流体とを予め定められた手順に従い切り替えて吐水を行う自動吐水の実行中に、前記操作手段に吐水の停止指令が入力されて前記自動吐水が停止させた場合において、所定の時間が経過する前に、前記自動吐水の指令が前記操作手段に再度入力された場合には、前記自動吐水の停止時の状態から前記自動吐水を続行させ、前記操作手段に再度入力がされなかった場合には、前記自動吐水の実行を終了させること、を特徴とする殺菌水生成システムが提供される。
【発明の効果】
【０００６】
本発明によれば、自動吐水の実行の途中で止水がされた場合であっても、水回り設備に対する効率のよい洗浄と殺菌をすることができる殺菌水生成システムが提供される。
【発明を実施するための最良の形態】
【０００７】
以下、図面を参照しつつ、本発明の実施の形態について説明をする。  
尚、説明の便宜上、本発明の実施の形態に係る殺菌水生成システムを浴室ユニットに適用させた場合を説明する。ただし、本発明はこれに限定されるわけではなく、例えば、洗面所、洗髪器などの水回り設備に広く適用させることができる。
【０００８】
図１は、本発明の第１の実施の形態に係る殺菌水生成システムを浴室ユニットに適用させた場合を例示するための模式斜視図である。    
また、図２は、殺菌水生成システムの構成を例示するための模式図である。
【０００９】
図１に示すように、浴室ユニットの浴室１０には、殺菌水生成システム１、浴槽１１、カウンター１２、洗い場床面１３、湯水混合水栓８、シャワーユニット１８、保持具２６などが備えられている。また、この他にも図示しない鏡、給湯制御パネルなどが適宜備えられている。  
カウンター１２は、洗い場床面１３の直上であって、湯水混合水栓８よりは下方に配設されている。そして、カウンター１２の下方には、吐水具４を除く殺菌水生成システム１の本体部分が設けられている。
【００１０】
図２に示すように、殺菌水生成システム１には、通水路の上流側から順番に検知手段１６、開閉弁１４、殺菌水生成手段１５、接続手段５、吐水具４が設けられている。そして、それぞれが配管で直列に接続され、上流側に供給された水道水などの水Ｃが通水可能となっている。尚、検知手段１６は、必ずしも必要ではなく、必要に応じて適宜設けるようにすることができる。
【００１１】
この場合、検知手段１６の上流側に図示しない定流量弁や流量調整弁などを設けるようにすることが好ましい。定流量弁や流量調整弁などを設けるものとすれば、例えば、高層階の住居であったり住居地域によって元圧（水圧）が変動しやすいものとなっていても、それを調整して所定の流量を確保することができる。また、後述する検知手段１６による検知を安定させることができる。そして、断水時における誤検知や誤動作の防止をすることもできる。  
尚、図２に例示をしたものでは、水道水などの水Ｃの配管が検知手段１６に接続されているが、温水Ｈの配管が接続されていてもよい。そのようにすれば、温水Ｈを吐水させることができるので、有機物などの分解、剥ぎ落としが促進され、洗浄効果をより高めることができる。そのため、本明細書において「水」という時には、冷水のみならず温水をも含む場合があるものとする。
【００１２】
また、殺菌水生成システム１には、制御手段１７、操作手段３、吐水量調整手段１９、表示手段２０が設けられている。尚、吐水量調整手段１９と表示手段２０は、必ずしも必要ではなく、必要に応じて適宜設けるようにすることができる。そして、制御手段１７と、検知手段１６、開閉弁１４、殺菌水生成手段１５、操作手段３、吐水量調整手段１９、表示手段２０とは、それぞれ電気的に接続されている。そのため、検知手段１６、操作手段３、吐水量調整手段１９からの電気信号を制御手段１７が受信可能となっており、また、制御手段１７による開閉弁１４、殺菌水生成手段１５の制御や表示手段２０への表示が可能となっている。
【００１３】
操作手段３は、制御手段１７に制御条件を入力するためのものである。例えば、吐水の開始を入力するためのスイッチ３ａ、吐水の停止を入力するためのスイッチ３ｂ、殺菌効果を有する流体の生成の開始・停止を入力するためのスイッチ３ｃ、洗浄水と殺菌効果を有する流体とを予め定められた手順に従い吐水する「自動吐水」を入力するためのスイッチ３ｄを設けることができる。ただし、例示したものに限定されるわけではなく、適宜変更、追加、削除をすることができる。例えば、吐水の開始・停止を入力するためのスイッチとして、スイッチ３ａと３ｂとを一体化することもできるし、後述する警告の解除、タイマーの設定などのスイッチ、「自動吐水」の制御条件を設定、設定変更するためのスイッチや入力端子などを設けるようにすることもできる。
【００１４】
吐水量調整手段１９には、例えば、開閉弁１４の開閉度を入力するためのスライドスイッチ１９ａなどを設けるようにすることができる。そして、スライドスイッチ１９ａの位置に応じた電気信号が制御手段１７に送られ、この信号に基づいて開閉弁１４の開閉度が調整されるようにすることができる。尚、誤操作を避けるため操作者が通常触ることがない場所に吐水量調整手段１９を設けるようにすることが好ましい。
【００１５】
表示手段２０は、例えば、液晶表示装置などとすることができ、殺菌水生成システム１の運転状況や異常表示などが表示される。また、後述する殺菌効果を有する流体の積算流量や殺菌水生成手段１５の通算使用時間、自動吐水の実行状況などを表示させるようにすることもできる。
【００１６】
開閉弁１４としては、例えば、電磁弁を例示することができる。そして、吐水量の調整をするために、弁の開閉度が調整可能とされているものとすることもできる。その場合、弁の開閉度は前述の吐水量調整手段１９により調整するようにすることができる。また、圧力制御をするための圧力制御手段を併せ持つようなものとしてもよい。尚、電磁弁の開閉により吐水を断続的にしたり、吐水圧の高低を切り替えて吐水圧を断続的にすることにより、洗浄効果を高めるようにすることもできる。
【００１７】
検知手段１６は、通水する水などの流れの状態量（例えば、流量や流速など）を検知するためのものである。具体的には、例えば、流量センサ、流速センサなどを例示することができる。そして、後述するように、例えば、検知された流量に基づいて、殺菌効果を有する流体の吐水量や殺菌水生成手段１５の寿命などが判断されることになる。尚、流量センサは積算流量が検知可能な、例えば、積算流量計のようなものであってもよい。また、検知手段１６を流速センサなどとし、検知された流速などを制御手段１７で演算することにより、殺菌効果を有する流体の吐水量、殺菌水生成手段１５の寿命などを判断するようにしてもよい。
また、検知手段１６は、必ずしも必要ではなく、例えば、前述した図示しない定流量弁や流量調整弁などが設けられていたり、流量や流速が比較的安定しているような環境では、タイマーなどによる時間管理により流量を演算して、殺菌効果を有する流体の吐水量、殺菌水生成手段１５の寿命などを判断するようにしてもよい。尚、タイマーなどによる時間管理は制御手段１７に備えられたタイマー要素により行うことができるし、制御手段１７とは別途に設けられた図示しないタイマーにより行うこともできる。
【００１８】
制御手段１７は、論理演算手段や記憶手段などを備え、検知手段１６、操作手段３、吐水量調整手段１９からの情報や予め記憶されたプログラムなどに基づいて開閉弁１４、殺菌水生成手段１５の制御や表示手段２０への表示などを行う。
【００１９】
吐水具４には、ホース６、吐水ヘッド７が設けられており、ホース６と接続手段５とが液密になるように接続されている。そして、接続手段５と吐水ヘッド７とがホース６を介して連通するように接続され、接続手段５を介して供給された水道水などの水・温水や殺菌効果を有する流体などが吐水ヘッド７から吐水可能となっている。ホース６は、可撓性を有する管状体であり、例えば、ゴムなどの弾性体から構成されている。
【００２０】
吐水ヘッド７には、吐水形態の切替手段２１が設けられている。      
図３は、吐水形態の切替手段２１を備えた吐水ヘッド７を例示するための模式断面図である。      
図３に示すように、吐水ヘッド７には吐水形態に対応して流路７ａ、流路７ｂが設けられており、流路７ａ、流路７ｂの吐水端にはノズルプレート７ｃが備えられている。また、ノズルプレート７ｃには、流路７ａ、流路７ｂに対応した位置にノズル孔７ｄ、ノズル孔７ｅが設けられている。
【００２１】
ここで、流路７ａ、流路７ｂとノズル孔７ｄ、ノズル孔７ｅの断面寸法は吐水形態に応じて決定することができる。例えば、図３に例示をしたものでは、断面積の大きな流路７ａ・ノズル孔７ｄの側を通常のシャワー状の吐水用（水道水などの吐水用）とし、断面積の小さな流路７ｂ・ノズル孔７ｅ側をミスト状（霧状）の吐水用（殺菌効果を有する流体の吐水用）とすることができる。このように、限られた吐水ヘッド７のスペース内で殺菌効果を有する流体の吐水側の流路７ｂの断面積を小さくすれば、水道水などの吐水側の流路７ａの断面積をその分大きくすることができる。その結果、殺菌効果を有する流体の吐水量を抑えることができ、無駄になる殺菌効果を有する流体の量を抑制することができる。また、水道水などの吐水量をその分多くすることができるので、「前洗浄」などにおける洗浄効果をより高めることができる。    
切替手段２１には、円柱状の形態を呈する弁体２１ａと、弁体２１ａに設けられ供給側の流路を流路７ａまたは流路７ｂと連通させるための孔２１ｃが設けられている。また、弁体２１ａから吐水ヘッド７の外部に向けて突出する摘み２１ｂが設けられ、摘み２１ｂを操作することで弁体２１ａが図中矢印の方向に回転可能となっている。    
また、流路内には、孔２１ｃが所定の位置に来たときに、孔２１ｃの一端を塞ぐことができる図示しない止水板が設けられている。
【００２２】
尚、吐水ヘッド７に吐水形態の切り替えを表示するための表示手段を設けるようにすることもできる。
【００２３】
次に、吐水ヘッド７の作用について説明をする。      
図３（ａ）に示すように、摘み２１ｂを操作して供給側の流路と流路７ａとを孔２１ｃを介して連通させるようにすれば、図中矢印で示したような通水が行われノズル孔７ｄから例えば水道水などがシャワー状に吐水される。    
また、図３（ｂ）に示すように、摘み２１ｂを操作して供給側の流路と流路７ｂとを孔２１ｃを介して連通させるようにすれば、図中矢印で示したような通水が行われノズル孔７ｅから例えば殺菌効果を有する流体がミスト状（霧状）に吐水される。    
そして、図３（ｃ）に示すように、摘み２１ｂを操作して、図示しない止水板が設けられている位置に孔２１ｃを移動させれば、止水板により孔２１ｃの一端が塞がられるので、供給側の流路と流路７ａ・７ｂとが遮断される。その結果、図中矢印で示したように通水が遮断されてノズル孔７ｄ、ノズル孔７ｅからの吐水が停止される。
【００２４】
図４は、吐水ヘッドの他の具体例を例示するための模式断面図である。    
図４に示すように、吐水ヘッド７０には流路７０ａが設けられており、流路７０ａの吐水端にはノズルプレート７０ｂが備えられている。また、ノズルプレート７０ｂには、ノズル孔７０ｃが設けられている。そして、流路７０ａの途中には、吐水と止水の切り替えを行うための切替手段７１が設けられている。
【００２５】
切替手段７１には、円柱状の形態を呈する弁体７１ａと、弁体７１ａに設けられ供給側の流路を吐水端側（ノズルプレート７０ｂ側）の流路７０ａと連通させるための孔７１ｃが設けられている。また、弁体７１ａから吐水ヘッド７０の外部に向けて突出する摘み７１ｂが設けられ、摘み７１ｂを操作することで弁体７１ａが図中矢印の方向に回転可能となっている。      
尚、切替手段７１は必ずしも設けられている必要はなく、これを省くこともできる。その場合は、操作手段３を操作して吐水と吐水の停止をさせるようにすればよい。
【００２６】
また、流路７０ａ内には、孔７１ｃが所定の位置に来たときに、孔７１ｃの一端を塞ぐことができる止水板７２が設けられている。
【００２７】
次に、吐水ヘッド７０の作用について説明をする。      
図４（ａ）に示すように、摘み７１ｂを操作して供給側の流路と流路７０ａとを孔１ｃを介して連通させるようにすれば、図中矢印で示したような通水が行われノズル孔７０ｃから水などが吐水される。    
また、図４（ｂ）に示すように、摘み７１ｂを操作して、止水板７２が設けられている位置に孔７１ｃを移動させれば、止水板７２により孔７１ｃの一端が塞がられるので、供給側の流路と流路７０ａとが遮断される。その結果、図中矢印で示したように通水が遮断されてノズル孔７０ｃからの吐水が停止される。
尚、吐水ヘッドは吐水ヘッド７、７０に限定されるわけではなく、適宜変更することができる。
【００２８】
保持具２６は、浴室１０の壁面に設けられ、吐水ヘッド７などやシャワーユニット１８のヘッド部分を保持する。      
水栓としての湯水混合水栓８には、水道水などの水Ｃの配管と温水Ｈの配管とが接続されている。また、湯水混合水栓８には、接続手段９が設けられ、接続手段９にはシャワーユニット１８のホース部分が接続されている。そのため、接続手段９を介して水道水などの水Ｃや温水Ｈがシャワーユニット１８のヘッド部分から吐水可能とされている。  
湯水混合水栓８には、切替ハンドル８ｂが設けられている。そして、切替ハンドル８ｂによりカラン８ａ側と接続手段９側への通水の切り替え、止水が行えるようになっている。また、水道水などの水Ｃと温水Ｈとの混合割合の調整を行う手段８ｃも設けられている。
【００２９】
ここで、温水Ｈの配管は必ずしも必要ではなく、水道水などの水Ｃの配管のみが接続されている水栓であってもよい。ただし、温水Ｈの配管がされ、温水Ｈを吐水させることができれば、人体洗浄などをするのに好適である。        
図１に例示をしたものでは、殺菌水生成システム１をカウンター１２の下方に設けるものとしているが、浴室１０の任意の位置に配設することもできる。ただし、カウンター１２の下方に設けるものとすれば、人体との干渉の抑制や煩雑感の低減を図ることができる。この場合、殺菌水生成システム１のすべての要素がカウンター１２の下方に設けられている必要はなく、例えば、操作手段３、表示手段２０のみが設けられているようにすることもできる。
【００３０】
また、カウンター１２の下方における奥行き寸法方向の取り付け位置も適宜選択することができる。ここで、カウンター１２の突出端（前面端）から後退した位置に殺菌水生成システム１を設け、突出端から出っ張らないようにすることが好ましい。そのようにすれば、入浴時の人体洗浄の際に人体と干渉することを抑制することができ、また、煩雑感がなくなるため見た目にも優れているからである。尚、殺菌水生成システム１の取り付け位置を調整できるようにしておき、設置される浴室のカウンター１２に合わせた設定をすることもできる。
【００３１】
殺菌水生成手段１５で生成される殺菌効果を有する流体としては、例えば、殺菌性物質またはイオンを含有する水、強酸性水、弱酸性水、およびこれらの温水などを例示することができる。    
尚、殺菌性物質またはイオンを含有する水としては、例えば、遊離塩素、結合塩素、抗菌性金属（例えば、銀、銅、亜鉛等）またはそのイオン、オゾン、ペルオクソ炭酸イオン又はその塩などを含有させた水、有機塩素系消毒液、有機リン酸系消毒液、アルコール系消毒液などを例示することができる。    
ただし、これらに限定されるわけではなく、浴室などの水回り設備に吐水することができ、殺菌効果を発揮できるものであればよい。    
【００３２】
図５は、殺菌水生成手段１５として用いることができるオゾン水生成手段３１を例示するための模式断面図である。    
オゾン水生成手段３１に備えられている気体混入混合室３２には、気泡分散機構３３が設けられており、液体管路３４から供給される水に対して、気泡分散機構３３により気体の混入、微細化、分散、混合が同時に行われる。気泡分散機構３３には気体室３５が設けられており、気体室３５には気体導入管路３６からオゾンが供給される。液体管路３４は、水道水などの水の配管や温水の配管と接続されている。また、気体導入管路３６には図示しないオゾン供給手段が接続されている。尚、本実施の形態においては、制御手段１７により図示しない開閉弁などを制御して、オゾン水生成手段３１へのオゾンの供給を制御することになる。
【００３３】
図６は、殺菌水生成手段１５としても用いることができる創水手段４１を例示するための模式断面図である。    
創水手段４１は、水を電気分解することにより、酸性水とアルカリ性水とを生成する。この場合、酸性水は殺菌効果を有する流体として、また、アルカリ性水は前洗浄において垢などの有機物を分解除去する際に用いることができる。    
創水手段４１から導出したアルカリ性水導出管４２と酸性水導出管４３は、三方切換弁４４に接続されており、この三方切換弁４４の他の一端が、接続手段５と接続されている。すなわち、三方切換弁４４を切り替えることにより酸性水またはアルカリ性水のいずれかを接続手段５から吐水させることができ、水回り設備の殺菌と有機物の分解除去などを行うことができる。
【００３４】
創水手段４１に備えられているケーシング４５は、その内部を隔膜４６によりアルカリ性水生成室４７と酸性水生成室４８とに区画されており、各生成室４７、４８ には、それぞれステンレス鋼やカーボン等からなる電極（陰極）４９と、ステンレス，白金，酸化チタンなどからなる電極（陽極）５１とが配設されている。また、酸性水生成室４８には酸性水導出管４３が連通するように接続されており、アルカリ性水生成室４７にはアルカリ性水導出管４２が連通するように接続されている。導入管５５は、水道水などの水の配管や温水の配管と接続されている。  
電極４９、５１から導出した電線５２、５３の導出端は、電源５４と接続されており、電源５４から電極４９、５１間に電圧が印加できるようになっている。
【００３５】
そして、この電圧印加により、水が電気分解され、アルカリ性水生成室４７のＰＨ値が高くなり、アルカリ性水が生成される。一方、酸性水生成室４８内のＰＨ値は低くなり、酸性水が生成されることになる。尚、本実施の形態においては、制御手段１７により電源５４を制御して、アルカリ性水や酸性水の生成を制御することになる。また、制御手段１７により三方切換弁４４を切り替えて、酸性水またはアルカリ性水のいずれかを接続手段５から吐水させることになる。
【００３６】
殺菌性物質またはイオンを含有する水は、例えば、電気分解法を用いて生成することができる。具体的には、銀イオンを含む殺菌効果を有する流体を生成する場合においては、溶出管の内部に銀からなる一対の電極を対峙して設け、これに電源から所定の電流を流すようなものを例示することができる。また、遊離塩素を含有する水は、塩素イオンを含む水（例えば、水道水）を塩素発生用電極を用いて電気分解することにより生成することができる。
【００３７】
尚、電気分解法などによる殺菌効果を有する流体の生成に限定されるわけではなく、例えば、殺菌効果を有する流体の濃縮液や薬剤を予め生成し、これを適宜ポンプなどで投入するようなものであってもよい。電気分解法を用いる場合においては、制御手段１７により、電源のＯＮ／ＯＦＦや出力調整などの制御が行われ、予め生成された濃縮液や薬剤などを投入する場合においては、ポンプなどの投入手段の制御が行われる。
【００３８】
また、殺菌水生成手段１５を作用させず、水道水などの水のみを吐水させることもできる。水道水などの水のみを吐水させることができれば、殺菌効果を有する流体を吐水させる前に後述する「前洗浄」を行うことができ、例えば、吐水ヘッド７のノズル孔７ｄからの水滴を直接、被洗浄面全体に当てるようにして、付着した汚れを浮かせたり除去をしたりすることで、その後に行われる殺菌効果を有する流体の吐水による殺菌効果が減殺されるのを抑制することができる。    
また、前述した強酸性水、弱酸性水、や、強アルカリ水、弱アルカリ水、洗剤を含有した水などを吐水して前洗浄を行えば、垢などの有機物を効果的に除去することができ、その後に行われる殺菌効果を有する流体の吐水による殺菌効果が減殺されるのをさらに抑制することができる。      
ここで、「前洗浄」などに用いられる水道水などの水や温水、強酸性水、強アルカリ水、弱酸性水、弱アルカリ水や洗剤を含有した水などを「洗浄水」と呼ぶことにする。    
尚、強酸性水、強アルカリ水、弱酸性水、弱アルカリ水については、前述の創水手段４１により生成することができる。    
また、アルカリ水、酸性水、洗剤を含有した水などの濃縮液や薬剤を予め生成し、これを適宜ポンプなどで投入することもできる。この場合、制御手段１７によりポンプなどの投入手段の制御を行い、洗浄水の生成を制御することになる。
【００３９】
また、前述したように、吐水形態の切り替えは摘み２１ｂを操作することにより行うが、例えば、殺菌効果を有する流体などはミスト状（霧状）の吐水とし、水道水などの水はシャワー状の吐水とすることができる。尚、これに限定されるわけではなく、殺菌効果を有する流体などをシャワー状に吐水させることもできるし、水道水などの水をミスト状（霧状）に吐水させることもできる。ただし、滞留性を考慮すれば殺菌効果を有する流体はミスト状（霧状）の吐水とすることが好ましく、吐水の物理力による洗浄性を考慮すれば水道水などの水はシャワー状の吐水とすることが好ましい。
【００４０】
「前洗浄」は、殺菌効果を有する流体の吐水に先立ち行われる。  
例えば、洗い場などに石鹸かすや皮脂、垢などの有機物汚れが残っていれば、その状態で殺菌効果を有する流体を吐水しても、有機物と殺菌成分とが化学的結合をおこしその効力が減ぜられるおそれがある。そのため、洗浄水を吐水して前洗浄を行うようにすれば、有機物汚れを除去することができるので、その後に行われる殺菌効果を有する流体の吐水による殺菌効果が減殺されるのを抑制することができる。
【００４１】
前洗浄は、湯水混合水栓８に接続されたシャワーユニット１８を用いて行うこともできるが、殺菌水生成システム１に接続された吐水具４を用いて行うようにすれば、前洗浄に続いて行われる殺菌効果を有する流体の吐水をも含めた一連の作業の作業性、作業効率などを大幅に向上させることができる。
【００４２】
また、操作手段３を操作して、洗浄水と殺菌効果を有する流体とを任意に切り替えることができるので、操作者の判断で状況に応じた最適な前洗浄作業をすることができる。  
ここで、後述する洗浄水と殺菌効果を有する流体とを予め定められた手順に従い吐水する「自動吐水」を行うようにすれば、操作者の恣意的判断により殺菌効果を有する流体が無駄に吐水されることを抑制することができる。    
また、前洗浄における吐水では、開閉弁１４の開閉により吐水を断続的にしたりすることなどにより、洗浄効果を高めることもできる。また、前洗浄における吐水において、温水Ｈを用いるものとすれば、前洗浄の効果を高めることもできる。
【００４３】
ここで、１作業あたりに必要な殺菌効果を有する流体の吐水量の上限値を知ることができれば、殺菌効果を有する流体の吐水量が所定の量（上限値）を超えないような吐水をさせることが可能となる。そして、そのような殺菌効果を有する流体の吐水をさせることができれば、殺菌効果を有する流体が無駄に吐水されることを抑制することができる。また、ランニングコストをも低減させることができ、殺菌水生成手段が無駄に稼働することがなくなるので、見かけ上の寿命などをも延ばすことができる。   
また、殺菌効果を有する流体の吐水量の下限値を知ることができれば、殺菌効果を有する流体の吐水量を必要最小限とすることが可能となる。
【００４４】
このことを、浴室１０に設けられた殺菌水生成システム１を例にとって説明する。  
本発明者が得た知見によれば、洗い場床面１３における殺菌効果を長時間維持するためには、浴室１０に設けられた図示しない排水口の排水トラップ内部を殺菌しつつ、封水を殺菌効果を有する流体で置換することが好ましい。      
一般的には、洗い場床面１３などに万遍なく吐水させるために必要となる量よりも、排水口の封水を置換させるために必要となる量の方が多い。そのため、一作業あたりの殺菌効果を有する流体の吐水量としては、排水口の封水量以上とすることが好ましい。  
【００４５】
次に、前洗浄に必要な吐水量（殺菌効果を有する流体の吐水量の上限値となる値）も洗い場床面１３などの洗浄度などに基づいて、個別的に求めることができる。    
しかしながら、洗浄面の広さや汚れ方により必要な吐水量がばらつくおそれがある。
【００４６】
本発明者は検討の結果、殺菌効果を有する流体の吐水に先立ち前洗浄が行われる場合には、このときの吐水量をタイマー（吐水時間）や検知手段１６などで実測し、これらに基づいて殺菌効果を有する流体の吐水量の上限値を決定するものとすれば、実情に即した殺菌効果を有する流体の吐水量の上限値を知ることができるとの知見を得た。    
【００４７】
この場合、測定は吐水作業を行うたびに行ってもよいが、１回の測定値や数回の測定値の平均値などから殺菌効果を有する流体の吐水量の上限値を決めるようにしてもよい。  
尚、検知手段１６により測定をする場合は、流れの状態量（例えば、流量や流速など）を検知し、その値に基づいて吐水量を検知するようにすればよい。
【００４８】
以上のようにして決められた殺菌効果を有する流体の吐水量の上限値や下限値、洗浄水の吐水量を用いて、「自動吐水」をさせるものとすれば、操作者の恣意的な吐水を排除して効率的な作業を行うことができる。また、殺菌効果を有する流体が無駄に吐水されることを抑制することができ、殺菌水生成手段の見かけ上の寿命をも延ばすことができる。
【００４９】
「自動吐水」は、洗浄水と殺菌効果を有する流体とを予め定められた手順に従い吐水するものである。例えば、洗浄水の吐水量を予め求められた前述の「前洗浄」の吐水量とし、殺菌効果を有する流体の吐水量を前述の上限値と下限値の間の値とすることができる。そして、洗浄水の吐水と殺菌効果を有する流体の吐水との間の時間（洗浄水の排水などに必要となる時間）なども予め決めるなどして、洗浄水と殺菌効果を有する流体とを予め定められた手順に従い吐水する。尚、「自動吐水」の手順については後述する。
【００５０】
「自動吐水」の制御条件（例えば、各吐水量や吐水の間隔などの設定値など）を再設定可能とすることもできる。この場合、例えば、操作手段３などから各設定値を変更するようにすることもできる。各設定値が再設定可能であれば、実情に即した調整を行うことが可能となる。
【００５１】
また、「自動吐水」以外の吐水、例えば、操作者が操作手段３を操作して行う吐水において、洗浄水や殺菌効果を有する流体の吐水の状態量（例えば、流量、流速、吐水の間隔など）を自動的に測定し、これに基づいて「自動吐水」の制御条件（例えば、各吐水量や吐水の間隔などの設定値など）を自動的に変更するようにすることもできる。この場合、測定値の平均値をとるなどして、操作者の恣意的吐水を排除するようにすることが好ましい。
【００５２】
また、「自動吐水」は、洗浄水の吐水と殺菌効果を有する流体の吐水とを組み合わせたものに限定されるわけではなく、例えば、殺菌効果を有する流体のみの「自動吐水」や洗浄水のみの「自動吐水」とすることもできる。    
また、洗浄水の吐水と殺菌効果を有する流体の吐水とを組み合わせたものであっても、各吐水量や吐水の間隔などが異なるものを複数設けるようにすることもできる。
【００５３】
次に、「自動吐水」の手順について説明をする。  
尚、説明の便宜上、浴室１０に設けられた殺菌水生成システム１の「自動吐水」について説明をする。      
図７は、殺菌水生成システム１の「自動吐水」を例示するためのフローチャートである。  本実施の形態の場合は、時間管理（タイマーのカウント）により洗浄水の吐水量と、殺菌効果を有する流体の吐水量とを管理するようにしている。
【００５４】
まず、人体洗浄の終了後などに殺菌水生成システム１を使用するため、図示しない電源スイッチを押して電源を入れる。    
次に、操作手段３のスイッチ３ｄを押して、「自動吐水」の開始を入力する。      
「自動吐水」の開始が入力されると、制御手段１７からの指令に基づいて開閉弁１４が開かれる。
【００５５】
開閉弁１４が開かれると、「前洗浄」をするための洗浄水が吐水されることになる。すなわち、「洗浄水吐水」が開始される。    
この際、制御手段１７により表示手段２０に洗浄水吐水中である旨が表示される。尚、ブザー音や光などで操作者に告知することもできるし、表示とブザー音などを併用することもできる。
【００５６】
尚、前述したように、強酸性水、強アルカリ水、弱酸性水、弱アルカリ水、洗剤を含有した水などを吐水させて前洗浄を行うようにすることもできる。この場合は、制御手段１７により表示手段２０に強酸性水などの吐水中である旨が表示される。尚、ブザー音や光などで操作者に告知することもできるし、表示とブザー音などを併用することもできる。この場合、音色を変えたり、光の色や点滅を変えるなどして前述のものと区別できるようにすることが好ましい。    
【００５７】
そして、前述したように、摘み２１ｂを操作することにより吐水形態を切り替えて、操作者の判断により最適な吐水形態での前洗浄を行うことができる。例えば、切替手段２１の摘み２１ｂを操作して吐水形態をシャワー状の吐水に切り替えるようにすることができる。    
また、制御手段１７により開閉弁１４を断続的に開閉させて、吐水を断続的にすることもできる。
【００５８】
「洗浄水吐水」が開始されると、タイマーａにより洗浄水の吐水量が管理される。すなわち、予め定められた時間ｔａに達するまでは洗浄水の吐水が続行され、時間ｔａに達した後には洗浄水の吐水が停止される。尚、時間ｔａは前述のようにして求めた吐水量に基づいて決定することができる。
【００５９】
また、「洗浄水吐水」の開始から吐水が停止されるまでの間に操作手段３のスイッチ３ｂが押されて吐水が停止され、自動吐水の指令が操作手段３に再度入力されずに所定の時間ｔｂが経過した場合には、開閉弁１４が閉じられ、電源が切られる。すなわち、自動吐水の実行が終了する。      
相当の時間（時間ｔｂ）の経過後は、初期状態に戻って吐水を行うようにすることが好ましいからである。      
また、「自動吐水」の指令が再度入力されたときまでの経過時間が時間ｔｂを経過していなければ、洗浄水の吐水が再開される。この場合は、吐水の停止前のタイマーａのカウント値に加算されるようにして洗浄水の吐水量が管理される。
【００６０】
「洗浄水吐水」（前洗浄）が終了した後には、所定の時間が経過して洗浄水が排水されるのを待ってから、殺菌効果を有する流体の生成と吐水が開始される。  
すなわち、制御手段１７からの指令により、殺菌水生成手段１５による殺菌効果を有する流体の生成が開始され、生成された殺菌効果を有する流体は、シャワーヘッド７から吐水される。    
この際、摘み２１ｂを操作することにより吐水形態を切り替えて、操作者の判断により最適な吐水形態での殺菌効果を有する流体の吐水を行うことができる。例えば、切替手段２１の摘み２１ｂを操作して吐水形態をミスト状（霧状）の吐水に切り替えるようにすることができる。
【００６１】
また、制御手段１７により表示手段２０に殺菌効果を有する流体の吐水中である旨が表示される。尚、ブザー音や光などで操作者に告知することもできるし、表示とブザー音などを併用することもできる。この場合、音色を変えたり、光の色や点滅を変えるなどして前述のものと区別できるようにすることが好ましい。
【００６２】
殺菌効果を有する流体の吐水が開始されると、タイマーｃにより殺菌効果を有する流体の吐水量が管理される。すなわち、予め定められた時間ｔｃに達するまでは殺菌効果を有する流体の吐水が続行され、時間ｔｃに達した後には殺菌効果を有する流体の吐水が停止される。
尚、時間ｔｃは前述のようにして求めた吐水量に基づいて決定することができる。この場合、前述のように、殺菌効果を有する流体の吐水量は、洗浄水の吐水量より少なくすることができる。
【００６３】
また、殺菌効果を有する流体の吐水の開始から吐水が停止されるまでの間に操作手段３のスイッチ３ｂ、３ｃが押されて殺菌効果を有する流体の生成と吐水が停止され、自動吐水の指令が操作手段３に再度入力されずに所定の時間ｔｄが経過した場合には、開閉弁１４が閉じられ、電源が切られる。すなわち、自動吐水の実行が終了する。      
相当の時間（時間ｔｄ）の経過後は、初期状態に戻って吐水を行うようにすることが好ましいからである。    
また、「自動吐水」の指令が再度入力されたときまでの経過時間が時間ｔｄを経過していなければ、殺菌効果を有する流体の吐水が再開される。この場合は、吐水の停止前のタイマーｃのカウント値に加算されるようにして殺菌効果を有する流体の吐水量が管理される。
【００６４】
殺菌効果を有する流体の吐水が完了した後には、開閉弁１４が閉じられて吐水が停止され、電源が切られて一連の運転が終了する。この場合、制御手段１７により表示手段２０に吐水の停止中（止水中）である旨が表示される。    
尚、殺菌効果を有する流体の積算流量を時間管理（タイマーのカウント）して、所定の時間（所定の積算流量）に達した時点で、殺菌水生成手段１５の寿命などを判断することもできる。
【００６５】
図８は、他の実施の形態にかかる殺菌水生成システム１の「自動吐水」を例示するためのフローチャートである。        
本実施の形態の場合は、検知手段１６により洗浄水の吐水量と、殺菌効果を有する流体の吐水量とを管理するようにしている。
【００６６】
まず、人体洗浄の終了後などに殺菌水生成システム１を使用するため、図示しない電源スイッチを押して電源を入れる。    
次に、操作手段３のスイッチ３ｄを押して、「自動吐水」の開始を入力する。      
「自動吐水」の開始が入力されると、制御手段１７からの指令に基づいて開閉弁１４が開かれる。
【００６７】
開閉弁１４が開かれると、「前洗浄」をするための洗浄水が吐水されることになる。すなわち、「洗浄水吐水」が開始される。    
この際、制御手段１７により表示手段２０に洗浄水吐水中である旨が表示される。尚、ブザー音や光などで操作者に告知することもできるし、表示とブザー音などを併用することもできる。
【００６８】
また、前述したように、強酸性水、強アルカリ水、弱酸性水、弱アルカリ水、洗剤を含有した水などを吐水させて前洗浄を行うようにすることもできる。この場合は、制御手段１７により表示手段２０に強酸性水などの吐水中である旨が表示される。尚、ブザー音や光などで操作者に告知することもできるし、表示とブザー音などを併用することもできる。この場合、音色を変えたり、光の色や点滅を変えるなどして前述のものと区別できるようにすることが好ましい。    
【００６９】
そして、前述したように、摘み２１ｂを操作することにより吐水形態を切り替えて、操作者の判断により最適な吐水形態での前洗浄を行うことができる。例えば、切替手段２１の摘み２１ｂを操作して吐水形態をシャワー状の吐水に切り替えるようにすることができる。    
また、制御手段１７により開閉弁１４を断続的に開閉させて、吐水を断続的にすることもできる。
【００７０】
「洗浄水吐水」が開始されると、検知手段１６により積算流量が測定されて洗浄水の吐水量が管理される。すなわち、予め定められた流量Ｑａに達するまでは洗浄水の吐水が続行され、流量Ｑａに達した後には洗浄水の吐水が停止される。尚、流量Ｑａは前述のようにして求めた吐水量に基づいて決定することができる。
【００７１】
また、「洗浄水吐水」の開始から吐水が停止されるまでの間に操作手段３のスイッチ３ｂが押されて吐水が停止され、自動吐水の指令が操作手段３に再度入力されずに所定の時間ｔｂが経過した場合には、開閉弁１４が閉じられ、電源が切られる。すなわち、自動吐水の実行が終了する。    
相当の時間（時間ｔｂ）の経過後は、初期状態に戻って吐水を行うようにすることが好ましいからである。      
また、「自動吐水」の指令が再度入力されたときまでの経過時間が時間ｔｂを経過していなければ、洗浄水の吐水が再開される。この場合は、吐水の停止前の積算流量値に加算されるようにして洗浄水の吐水量が管理される。
すなわち、「洗浄水吐水」の開始から吐水が停止されるまでの間に操作手段３のスイッチ３ｂが押されて吐水が停止され、「自動吐水」の指令が操作手段３に再度入力されたときまでの経過時間が時間ｔｂを経過していなければ、洗浄水の吐水時間（吐水量）が少なくなるので「自動吐水」の全実行時間が少なくなる。そのため、全実行時間が短縮された「自動吐水」が実行されることになる。
【００７２】
「洗浄水吐水」（前洗浄）が終了した後には、所定の時間が経過して洗浄水が排水されるのを待ってから、殺菌効果を有する流体の生成と吐水が開始される。  
すなわち、制御手段１７からの指令により、殺菌水生成手段１５による殺菌効果を有する流体の生成が開始され、生成された殺菌効果を有する流体は、シャワーヘッド７から吐水される。    
この際、摘み２１ｂを操作することにより吐水形態を切り替えて、操作者の判断により最適な吐水形態での殺菌効果を有する流体の吐水を行うことができる。例えば、切替手段２１の摘み２１ｂを操作して吐水形態をミスト状（霧状）の吐水に切り替えるようにすることができる。
【００７３】
また、制御手段１７により表示手段２０に殺菌効果を有する流体の吐水中である旨が表示される。尚、ブザー音や光などで操作者に告知することもできるし、表示とブザー音などを併用することもできる。この場合、音色を変えたり、光の色や点滅を変えるなどして前述のものと区別できるようにすることが好ましい。
【００７４】
殺菌効果を有する流体の吐水が開始されると、検知手段１６により積算流量が測定されて殺菌効果を有する流体の吐水量が管理される。すなわち、予め定められた流量Ｑｃに達するまでは殺菌効果を有する流体の吐水が続行され、流量Ｑｃに達した後には殺菌効果を有する流体の吐水が停止される。    
尚、流量Ｑｃは前述のようにして求めた吐水量に基づいて決定することができる。この場合、前述のように、殺菌効果を有する流体の吐水量は、洗浄水の吐水量より少なくすることができる。
【００７５】
また、殺菌効果を有する流体の吐水の開始から吐水が停止されるまでの間に操作手段３のスイッチ３ｂ、３ｃが押されて殺菌効果を有する流体の生成と吐水が停止され、自動吐水の指令が操作手段３に再度入力されずに所定の時間ｔｄが経過した場合には、開閉弁１４が閉じられ、電源が切られる。すなわち、自動吐水の実行が終了する。      
相当の時間（時間ｔｄ）の経過後は、初期状態に戻って吐水を行うようにすることが好ましいからである。    
また、「自動吐水」の指令が再度入力されたときまでの経過時間が時間ｔｄを経過していなければ、殺菌効果を有する流体の吐水が再開される。この場合は、吐水の停止前の積算流量値に加算されるようにして殺菌効果を有する流体の吐水量が管理される。
【００７６】
殺菌効果を有する流体の吐水が完了した後には、開閉弁１４が閉じられて吐水が停止され、電源が切られて一連の運転が終了する。この場合、制御手段１７により表示手段２０に吐水の停止中（止水中）である旨が表示される。      
尚、殺菌効果を有する流体の総積算流量を管理して、所定の総積算流量に達した時点で、殺菌水生成手段１５の寿命などを判断することもできる。
【００７７】
以上説明したように、自動吐水の実行中に、操作手段３に吐水の停止指令が入力されて自動吐水が停止した場合において、所定の時間が経過する前に、自動吐水の指令が操作手段に再度入力された場合には、自動吐水の停止時の状態から自動吐水が続行され、所定の時間が経過した後に、自動吐水の指令が操作手段に再度入力された場合には、自動吐水の実行が終了する。
【００７８】
前述のようにして、殺菌効果を有する流体の「自動吐水」が終了した後には、操作手段３を操作して殺菌効果を有さない洗浄水を吐水させようとしても、所定時間の間これを禁止するようにすることが好ましい。殺菌効果が減殺されるのを防止するためである。
【００７９】
また、「自動吐水」の実行中は、操作手段３を操作して殺菌効果を有する流体の吐水をさせることができるが、殺菌効果を有さない洗浄水の吐水を禁止するようにすることが好ましい。この場合は、「自動吐水」の終了、または、操作手段３による停止の後、操作手段３を操作して殺菌効果を有さない洗浄水の吐水をさせるようにする。尚、この場合は、前述したように所定の時間の経過後に洗浄水の吐水指令を受け付けるようにすることが好ましい。
【００８０】
「自動吐水」が開始される前に、例えば、操作手段３を操作して前洗浄が行われているような場合には、「自動吐水」の洗浄水の吐水時間や吐水量を少なくしたモードで「自動吐水」を行うこともできる。    
【００８１】
図９は、本発明の第２の実施の形態に係る殺菌水生成システムを浴室ユニットに適用させた場合を例示するための模式斜視図である。    
また、図１０は、殺菌水生成システムの構成を例示するための模式図である。    
尚、図１、図２で説明をしたものと同様の部分には同じ符号を付し、その説明は省略する。
【００８２】
図９、図１０に示すように、本実施の形態においては、湯水混合水栓８のシャワー側配管に殺菌水生成システム１が設けられている。すなわち、湯水混合水栓８と殺菌水生成システム１とが一体化されている。
図９に示したものでは、操作手段３と表示手段２０とを湯水混合水栓８の本体部分に設けているが、これに限定されるわけではなく、例えば、図１に示したようにカウンター１２の下方に設けるようにすることもできる。
【００８３】
本実施の形態のように、水栓と殺菌水生成システムとを一体化すれば、シャワーユニット１８を省くことができるので構造を簡易化することができる。    
また、浴室、洗面所などの比較的狭いスペースに２つの吐水具を設けるようにすれば、煩雑感が増すが、本実施に形態によればこれを低減させることができる。
【００８４】
また、本実施の形態においても、操作者の恣意的判断により殺菌効果を有する流体が無駄に吐水されることを抑制することができる。また、ランニングコストを低減させることができ、殺菌水生成手段の見かけ上の寿命などをも延ばすことができる。
尚、殺菌水生成システム１の作用や「自動吐水」などについては前述のものと同様のため、その説明は省略する。
【００８５】
以上説明をした本発明の実施の形態において、機能水の吐水量を具体的に例示するものとすれば、例えば、流量を０．１リットル／分以上、２０リットル／分以下、好ましくは、０．１リットル／分以上、１０リットル／分以下、さらに好ましくは、０．１リットル／分以上、５リットル／分以下とすることができる。これは、水道料金、環境負荷などを考慮した場合であり、また、吐水形態をミスト状の吐水、シャワー状の吐水とした場合である。
また、吐水時間は、前述の流量と機能水生成システムの使用形態を考慮して、１０秒以上、３０分以下、好ましくは、１０秒以上、１０分以下、さらに好ましくは、１０秒以上、５分以下とすることができる。     
また、以上説明をした本発明の実施の形態において、自動吐水の実行が終了されることになる「相当の時間（時間ｔｂ、ｔｄ）」は、殺菌水生成手段の使用形態を考慮して、１時間以上とすることが好ましい。
【００８６】
以上、具体例を参照しつつ、本発明の実施の形態について説明をした。しかし、本発明はこれらの具体例に限定されるものではない。  
前述の具体例に関して、当業者が適宜設計変更を加えたものも、本発明の特徴を備えている限り、本発明の範囲に包含される。
【００８７】
例えば、殺菌水生成システム１、吐水具４などが備える各要素、浴室１０やこれに備えられる湯水混合水栓８、浴槽１１、カウンター１２、洗い場床面１３、保持具２６などの形状、寸法、材質、配置などは、例示したものに限定されるわけではなく適宜変更することができる。  
また、図１、図２、図９、図１０に例示をしたものでは、シャワーユニット状の吐水具４から洗浄水や殺菌水を吐水させることとしているが、本発明はこれに限定されるわけではなく、例えば、カウンター１２の下方などに吐水具を設けて、そこから吐水をさせるようにすることもできる。この場合、カウンター１２の下方に設けられる吐水具は、例えば、スプリンクラーのように吐水方向が自動的に変更されるようなものとすることができる。また、設置場所もカウンター１２の下方に限定されるわけではなく適宜変更することができる。
また、前述した各具体例が備える各要素は、可能な限りにおいて組み合わせることができ、これらを組み合わせたものも本発明の特徴を含む限り本発明の範囲に包含される。
【図面の簡単な説明】
【００８８】
【図１】本発明の第１の実施の形態に係る殺菌水生成システムを浴室ユニットに適用させた場合を例示するための模式斜視図である。
【図２】殺菌水生成システムの構成を例示するための模式図である。
【図３】吐水形態の切替手段を備えた吐水ヘッドを例示するための模式断面図である。
【図４】吐水ヘッドの他の具体例を例示するための模式断面図である。
【図５】殺菌水生成手段として用いることができるオゾン水生成手段を例示するための模式断面図である。
【図６】殺菌水生成手段として用いることができる創水手段を例示するための模式断面図である。
【図７】殺菌水生成システムの「自動吐水」を例示するためのフローチャートである。
【図８】他の実施の形態にかかる殺菌水生成システムの「自動吐水」を例示するためのフローチャートである。
【図９】本発明の第２の実施の形態に係る殺菌水生成システムを浴室ユニットに適用させた場合を例示するための模式斜視図である。
【図１０】殺菌水生成システムの構成を例示するための模式図である。
【符号の説明】
【００８９】
１  殺菌水生成システム、３  操作手段、３ａ  スイッチ、３ｂ  スイッチ、４  吐水具、５  接続手段、６  ホース、７  吐水ヘッド、７ａ  流路、７ｂ  流路、７ｃ  ノズルプレート、７ｄ  ノズル孔、７ｅ  ノズル孔、８  湯水混合水栓、１２  カウンター、１４  開閉弁、１５  殺菌水生成手段、１６  検知手段、１７  制御手段、１９  吐水量調整手段、２０  表示手段、２１  切替手段、２１ａ  弁体、２１ｂ  摘み、２１ｃ  孔、Ｃ  水、Ｈ  温水
【図１】
2008289981.tif 000003
【図２】
2008289981.tif 000004
【図３】
2008289981.tif 000005
【図４】
2008289981.tif 000006
【図５】
2008289981.tif 000007
【図６】
2008289981.tif 000008
【図７】
2008289981.tif 000009
【図８】
2008289981.tif 000010
【図９】
2008289981.tif 000011
【図１０】
2008289981.tif 000012